(57)【要約】      （修正有）【課題】構造が複雑にならず、部品点数を少なくしてなるとともに、全体として小型化した電気掃除機を提供すること。【解決手段】上流サイクロン部１２と下流サイクロン部１３とを有するサイクロン集塵器９を組み込むとともに、サイクロン集塵器９を電動送風機８の上流側に配設したフィルター１５を介して横置きに配置していることにより、全体の外径寸法がコンパクトになるとともに、内部構造の部品が複雑化せず、サイクロンの分離効果を維持できる。【選択図】図１
2014076143.tif 000002
【特許請求の範囲】
【請求項１】
上流サイクロン部と下流サイクロン部とを有するサイクロン集塵器を組み込んでなる電気掃除機において、前記サイクロン集塵器を横置きに配置されていることを特徴とする電気掃除機。
【請求項２】
前記サイクロン集塵器が電動送風機に対し、横置きされていることを特徴とする請求項１記載の電気掃除機。
【請求項３】
前記サイクロン集塵器が、電動送風機の上流側に配設されたフィルターを介して、電動送風機に対し、横置きされていることを特徴とする請求項１乃至２のうちのいずれかに記載の電気掃除機。
【請求項４】
前記サイクロン集塵器が、上流サイクロン部と複数の下流サイクロン部とを有し、上流サイクロン部は円筒形にしてなるとともに、該下流サイクロン部が円錐形にしてなり、該上流サイクロン部内に同心的に設けられていることを特徴とする請求項１乃至３のうちのいずれかに記載の電気掃除機。
【請求項５】
前記円筒形の上流サイクロン部が、外周壁と内周壁とを有することを特徴とする請求項１乃至４のうちのいずれかに記載の電気掃除機。
【請求項６】
前記円筒形の上流サイクロン部の内周壁全周に小径の孔を穿っていることを特徴とする請求項１乃至５のうちのいずれかに記載の電気掃除機。
【発明の詳細な説明】
【技術分野】
【０００１】
本発明は、サイクロン部の分離効果を維持させながら、内部構造が複雑にならず、かつ部品点数を少なくするとともに、掃除機全体を小型化させた電気掃除機に関します。
【背景技術】
【０００２】
従来例として、横置きしたサイクロン部と集塵部とが、仕切り板によって隔てられた電気掃除機であって、サイクロン導入口に第一次フィルターを配設し、該集塵部には第一次フィルターより小さい口径の第一次フィルターを配設、そして電動送風機の上流側に第二次フィルターを配設されたものがあります。
【０００３】
このようなサイクロン式掃除機では、傘状の仕切り板により、サイクロン部から集塵部への旋回流が、塵埃と空気とに分離され、塵埃は集塵部に集塵されます。そして、旋回流によって、浄化された空気は更に各フィルターを通過することにより、浄化されて外部へ排気されます。
例えば、次の特許文献１
【０００４】
【特許文献１】特許第４７４９４５７号
【発明の開示】
【発明が解決しようとする課題】
【０００５】
しかしながら、従来のサイクロン式の電気掃除機は、集塵部内に傘状の仕切り板を設け、更にその関連性で各フィルターを配設する等、全体として構造が複雑になるとともに、フィルター等の部品点数も多くなっていました。
【０００６】
本発明は、上記問題点に鑑みてなされたものであり、サイクロン機能を阻害することなく構造が複雑にならず、かつフィルター等の部品点数を少なくしてなるとともに、全体として小型化にさせた電気掃除機を提供させることを目的とするものです。
【課題を解決するための手段】
【０００７】
前記課題を解決するため請求項1記載の発明にあっては、上流サイクロン部と下流サイクロン部とを有するサイクロン集塵器を組み込んでなる電気掃除機において、前記サイクロン集塵器を横置きに配置されていることを特徴とするものです。
【０００８】
請求項2記載の発明にあっては、前記サイクロン集塵器が電動送風機に対し、横置きされていることを特徴とするものです。
【０００９】
請求項３記載の発明にあっては、前記サイクロン集塵器が、電動送風機の上流側に配設されたフィルターを介して、電動送風機に対し、横置きされていることを特徴とするものです。
【００１０】
請求項４記載の発明にあっては、前記サイクロン集塵器が、上流サイクロン部と複数の下流サイクロン部とを有し、上流サイクロン部は円筒形にしてなるとともに、該下流サイクロン部が円錐形にしてなり、該上流サイクロン部内に同心的に設けられていることを特徴とするものです。
【００１１】
請求項５記載の発明にあっては、前記円筒形の上流サイクロン部が、外周壁と内周壁とを有することを特徴とするものです。
【００１２】
請求項６記載の発明にあっては、前記円筒形の上流サイクロン部の内周壁全周に小径の孔を穿ったことを特徴とするものです。
【発明の効果】
【００１３】
本発明によれば、上流サイクロン部と下流サイクロン部とを有するサイクロン集塵器を横置きに配置していることにより、全体の外径寸法がコンパクトになるとともに、分離効果を維持できるので、フィルター等の部品点数を少なくすることができます。
【発明を実施するための最良の形態】
【００１４】
以下、本発明の実施形態を図に従って説明します。
【００１５】
図１乃至図２に示すように、本実施形態を示す図です。図１乃至図２で示すように、本発明に係わる電気掃除機は、全体として大型化せずにコンパクトな大きさでありながら、内部構造の部品が複雑化せず、またフィルター等の部品点数が少なくなりながら、サイクロンの分離効果を維持できる電気掃除機です。
【００１６】
図１は、本発明の一実施形態を示す断面図です。図２は、サイクロン集塵機の断面図です。
【００１７】
図１乃至図２に示される電気掃除機１は、上面に取っ手２が設けられた掃除機の上ケース３と、下面に前輪４、後輪５の車輪が設けられた同下ケース６とからケース内に、下ケース６より直立する壁７を介して設置された電動送風機８、着脱自在に設置されたサイクロン集塵器９を収納してなるものです。
【００１８】
該サイクロン集塵器９は、全体的に外周壁１０と内周壁１１とを有する円筒形の上流サイクロン部１２と、該内周壁１１側の上流サイクロン部１２内に同心的に設けられている複数の円錐形の下流サイクロン部１３とからなります。
なお、該内周壁１１は、全周に亙り網目状（メッシュ状）の小径の孔１４が穿っています。
【００１９】
係る構成のサイクロン集塵器９においては、円筒形の上流サイクロン部１２及び複数の円錐形の下流サイクロン部１３を備えており、これらは相互に直列に配置されて、かつ該複数の円錐形の下流サイクロン部１３が、該円筒形の上流サイクロン部１２の内周壁１１内に突き出ている構成にしてなります。
【００２０】
また、該複数の円錐形の下流サイクロン部１３の縦軸は、円筒形の上流サイクロン部１２の縦軸に対して平行に下方向になっています。
【００２１】
該構成のサイクロン集塵器９と電動送風機８とを、フィルター１５を介して互いに水平方向に直線的に横置き配置してなります。
【００２２】
さらに、このようにサイクロン集塵器９と電動送風機８とを水平態様とする配置構成であるので、複数の下流サイクロン部１３が上流サイクロン部１２内に完全に配置されることで小型化されるとともに、吸気口１６と排気口１７との流路が短くなり、それに伴い、該電気掃除機１の外径寸法もさらに大幅に小型化にすることができます。
【００２３】
係る構成の電気掃除機１は、サイクロン集塵器９の不浄の空気を取り入れる吸気口１６を介し、全体的に円筒形にしてなる低効率機能の上流サイクロン部１２と、該円筒形の上流サイクロン部１２内に同心的に設けられた複数の円錐形になる高効率機能の下流サイクロン部１３とからなり、流路（図示せず）を介して、該円筒形の上流サイクロン部１２から下流サイクロン部１３の上端部に送風されます。
【００２４】
そして、浄化された空気は、複数の円錐形の下流サイクロン部１３の中心部から、電動送風機８の上流側に配設されているフィルター１５で濾過されながら、電動送風機８を通過して排気口１７から、外部へ排気されます。
【００２５】
前記実施の形態において、電動送風機８が作動すると、吸気口１６から流路（図示せず）を介して、塵埃を含む空気流が低効率機能の上流サイクロン部１２の上端部から、接線方向に流入し、旋回運動を始めます。
【００２６】
これによって、低効率機能の円筒形の上流サイクロン部１２の下部内に塵埃粒子が集積されます（図示せず）。
【００２７】
そして、より微細な塵埃粒子だけを有する空気流が、電動送風機８で作られる全体的な空気流の作用で、流路（図示せず）と、導入口２１とを通り、接線方向に高効率機能を有する下流サイクロン部１３に流入されます。
【００２８】
その際、再度螺旋状の旋回、つまり、サイクロンの遠心分離の過程がより高い効率によって繰り返され、さらに微細な塵埃を集積することができます。
【００２９】
こうして最終的に浄化された空気流は、電動送風機８の上流側に配設されているフィルター１５で更に濾過されてから排気口１７から外部へ排気されます。
【００３０】
上述しましたサイクロン集塵器９の動作方法を換言しますと、塵埃を有する空気流は、接線方向の吸気口１９から、円筒形の上流サイクロン部１２に導入されます。
【００３１】
接線方向の吸気口１９の方向によって、空気流は円筒形の上流サイクロン部１２の中で、螺旋形状の流路を辿る為、側方部へ移動し、導入された空気流に引きずられた比較的大きい塵埃粒子は、該側方部の底面に隣接する部位２０に堆積します。
【００３２】
さらに、微細な塵埃粒子を含む空気流は、内側への流れ、複数の円錐形の下流サイクロン部１３の上端面に向って移動します。
【００３３】
該空気流は、複数の円錐形の下流サイクロン部１３に向って流れ、該下流サイクロン部１３の上側円筒部に設けられた導入口２１に達し、該導入口２１は接線方向になっているので、再度、螺旋形状の流路を辿ることになります。
【００３４】
そして、螺旋形状の流路を辿りながら、該複数の円錐形の下流サイクロン部１３を移動します。この時に多くの微細な塵埃粒子が、空気流から分離されます。
【００３５】
該分離された微細な塵埃粒子は、該円錐形の下流サイクロン部１３から、上流サイクロン部１２の内周壁全周に穿った網目状（メッシュ状）の小径の孔１４を介して、上流サイクロン部１２内に集積されることになります。
【００３６】
なお、同時に微細な塵埃粒子を含まない空気流は、該下流サイクロン部１３の中心部から、電動送風機８の上流側に配設されたフィルター１５を通り、排気口１７から外部へ排気されます。
【図面の簡単な説明】
【００３７】
【図１】は本発明の電気掃除機の実施を示す断面図です。
【図２】は本発明のサイクロン集塵器の断面図です。
【符号の説明】
【００３８】
電気掃除機1
取っ手2
上ケース3
前輪（車輪）4
後輪（車輪）5
下ケース6
直立する壁7
電動送風機8
サイクロン集塵器9
外周壁10
内周壁11
上流サイクロン部12
下流サイクロン部13
孔１４
フィルター１５
吸気口１６、１９
排気口１７
流路１８
部位２０
導入口２１
【図１】
2014076143.tif 000003
【図２】
2014076143.tif 000004